【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
レドックスフローエネルギー貯蔵デバイスであって、
第１の極性の第１の電極活物質と、
第２の反対極性の第２の電極活物質と、
該第１の電極活物質と第２の電極活物質とを分離するイオン透過媒体であって、該第１および第２の電極活物質のうちの少なくとも１つは、セルの動作中に該イオンを取り込むことまたは放出することが可能である流動性イオン貯蔵レドックス組成物を含む、イオン透過媒体と、
該流動性イオン貯蔵レドックス組成物と接触している可動表面であって、該可動表面は、該レドックスフローエネルギー貯蔵デバイスを介して該流動性イオン貯蔵レドックス組成物の流動を少なくとも部分的に方向付けるように構築および配設される、可動表面と
を備える、レドックスフローエネルギー貯蔵デバイス。
【請求項２】
前記可動表面は、電極電流コレクタの一部である、そして／あるいは、
該可動表面は、複数の突起を備える、そして／あるいは、
該可動表面は、ネジ山付き表面を備える、そして／あるいは、
該可動表面は、少なくとも１つの回転軸の周りに配設されるベルトの一部である、そして／あるいは、
該可動表面は、前記レドックスフローエネルギー貯蔵デバイスの電気活性帯内に少なくとも部分的に配置される、
請求項１に記載のレドックスフローエネルギー貯蔵デバイス。
【請求項３】
レドックスフローエネルギー貯蔵デバイスであって、
第１の外側電極電流コレクタ、少なくとも部分的に該第１の電極電流コレクタ内に配置される第２の内側電極電流コレクタ、および該第１の電極電流コレクタと第２の電極電流コレクタとを少なくとも部分的に分離するイオン透過媒体と、
少なくとも部分的に該第１の電極電流コレクタと該イオン透過媒体との間に配置される第１の電極活物質と、
少なくとも部分的に該第２の電極電流コレクタと該イオン透過媒体との間に配置される第２の電極活物質と
を備え、該第１および第２の電極活物質のうちの少なくとも１つは、流体を含み、該第１の電極電流コレクタおよび該第２の電極電流コレクタのうちの少なくとも１つは、他方の電極電流コレクタに対して、それの長手軸の周りで回転させられることが可能である、デバイス。
【請求項４】
前記第１および第２の電極活物質の少なくとも１つは、半固体または濃縮イオン貯蔵電気活性組成物を含み、該半固体または濃縮イオン貯蔵電気活性組成物は、前記エネルギー貯蔵デバイスの動作中に該イオンを取り込むことまたは放出することが可能である、請求項３に記載のレドックスフローエネルギー貯蔵デバイス。
【請求項５】
流動性の半固体または濃縮液体イオン貯蔵レドックス組成物は、前記エネルギー貯蔵デバイスが動作される温度において導電性である、請求項４に記載のレドックスフローエネルギー貯蔵デバイス。
【請求項６】
前記第１の電極電流コレクタおよび前記イオン透過媒体は、該第１の電極が少なくとも部分的に配置される第１の電気活性帯を画定する、そして／あるいは、
前記第２の電極電流コレクタおよび前記イオン透過媒体は、該第２の電極が少なくとも部分的に配置される第２の電気活性帯を画定する、そして／あるいは、
該第２の電極電流コレクタは、該第１の電極電流コレクタ内に実質的に同心円状に配置される、そして／あるいは、
該第１および第２の電極電流コレクタのうちの少なくとも１つは、電極のすぐ近くにネジ山付き表面を備える、そして／あるいは、
該第１および第２の電極電流コレクタのうちの少なくとも１つは、電極のすぐ近くの表面から該電極に向かって延在する突起を備える、そして／あるいは、
該第１および第２の電極電流コレクタのうちの少なくとも１つは、電極のすぐ近くの表面から該電極に向かって延在する突起を備え、該突起は、支柱、フィン、およびバッフルのうちの少なくとも１つを備える、
請求項３〜５のいずれか一項に記載のレドックスフローエネルギー貯蔵デバイス。
【請求項７】
前記第１および第２の電極活物質の少なくとも１つは、流動性半固体または濃縮イオン貯蔵レドックス組成物を含み、該流動性半固体または濃縮イオン貯蔵レドックス組成物は、ケトン、ジケトン、トリエーテル、１つの窒素および１つの酸素の原子を含有する化合物、１つの窒素および２つの酸素の原子を含有する化合物、２つの窒素原子および１つの酸素原子を含有する化合物、リン含有化合物、ならびに／またはこれらのフッ素化、ニトリル、および／もしくはペルフルオロ化誘導体から選択される少なくとも１つの化合物を含む、
請求項３〜６のいずれか一項に記載のレドックスフローエネルギー貯蔵デバイス。
【請求項８】
音響エネルギー源をさらに備える、請求項３〜７のいずれか一項に記載のレドックスフローエネルギー貯蔵デバイスであって、
前記第１および第２の電極活物質の少なくとも１つは、流動性イオン貯蔵レドックス組成物を含み、該流動性イオン貯蔵レドックス組成物は、固体を含み、該音響エネルギー源は、該レドックスフローエネルギー貯蔵デバイス内における該固体の蓄積を阻止すること、および／または該レドックスフローエネルギー貯蔵デバイス内の該流動性イオン貯蔵レドックス組成物の粘度を低減することを行うように構築および配設される、レドックスフローエネルギー貯蔵デバイス。
【請求項９】
前記レドックスフローエネルギー貯蔵デバイス用のインラインセンサをさらに備える、請求項３〜８のいずれか一項に記載のレドックスフローエネルギー貯蔵デバイスであって、
該インラインセンサは、前記流動性イオン貯蔵レドックス組成物の特性を決定するように構築および配設される、レドックスフローエネルギー貯蔵デバイス。
【請求項１０】
前記正および負極活物質のうちの少なくとも１つは、セルの動作中にイオンを取り込むことまたは放出することが可能である流動性イオン貯蔵レドックス組成物を含み、
該流動性イオン貯蔵レドックス組成物は、水性液体担体を含み、該イオンは、Ｌｉ＋またはＮａ＋を含む、
請求項３〜９のいずれか一項に記載のレドックスフローエネルギー貯蔵デバイス。
【請求項１１】
前記正および負極活物質のうちの少なくとも１つは、前記デバイスの動作中にイオンを取り込むことまたは放出することが可能である流動性イオン貯蔵レドックス組成物を含み、
前記レドックスフローエネルギー貯蔵デバイスは、該流動性イオン貯蔵レドックス組成物が配置される容積と流体的に連絡しているか、および／または容積内に位置する混合流体源をさらに備え、該混合流体は、該流動性イオン貯蔵レドックス組成物と非混和性である、
請求項３〜１０のいずれか一項に記載のレドックスフローエネルギー貯蔵デバイス。
【請求項１２】
前記正および負極活物質のうちの少なくとも１つは、前記デバイスの動作中にイオンを取り込むことまたは放出することが可能である流動性の半固体または濃縮液体イオン貯蔵レドックス組成物を含み、
該流動性イオン貯蔵レドックス組成物は、エーテル、ケトン、ジエーテル、ジケトン、エステル、トリエーテル、炭酸塩、アミド、イオウ含有化合物、リン含有化合物、イオン液体、ならびにこれらのフッ素化、ニトリル、および／またはペルフルオロ化誘導体のうちの少なくとも１つを含む、
請求項１〜１１のいずれか一項に記載のレドックスフローエネルギー貯蔵デバイス。
【請求項１３】
請求項３〜１２のいずれか一項に記載のレドックスフローエネルギー貯蔵デバイスを提供することと、
前記第１および／または第２の電極電流コレクタをそれらの長手軸の周りで回転させることであって、それにより、前記第１および第２の電極のうちの少なくとも１つが、該レドックスフローエネルギー貯蔵デバイスの長手軸に沿って輸送される、ことと
を含む、レドックスフローエネルギー貯蔵デバイスを動作する方法。
【手続補正２】
【補正対象書類名】明細書
【補正対象項目名】００６９
【補正方法】変更
【補正の内容】
【００６９】
本主題は、図面を参照の上に記載され、図面は実際に説明することを意図し、本発明を限定することを意図せず、本主題の完全なる範囲は、続く請求項に記載される。
一実施形態において、例えば、以下の項目が提供される。
（項目１）
レドックスフローエネルギー貯蔵デバイスであって、
第１の外側電極電流コレクタ、少なくとも部分的に該第１の電極電流コレクタ内に配置される第２の内側電極電流コレクタ、および該第１の電極電流コレクタと第２の電極電流コレクタとを少なくとも部分的に分離するイオン透過媒体と、
少なくとも部分的に該第１の電極電流コレクタと該イオン透過媒体との間に配置される第１の電極活物質と、
少なくとも部分的に該第２の電極電流コレクタと該イオン透過媒体との間に配置される第２の電極活物質と
を備え、該第１および第２の電極活物質のうちの少なくとも１つは、流体を含み、該第１の電極電流コレクタおよび該第２の電極電流コレクタのうちの少なくとも１つは、他方の電極電流コレクタに対して、それの長手軸の周りで回転させられることが可能である、デバイス。
（項目２）
前記第１の電極活物質は、半固体または濃縮イオン貯蔵電気活性物質を含み、該半固体または濃縮イオン貯蔵電気活性物質は、前記エネルギー貯蔵デバイスの動作中に該イオンを取り込むことまたは放出することが可能である、項目１に記載のレドックスフローエネルギー貯蔵デバイス。
（項目３）
流動性の半固体または濃縮液体イオン貯蔵レドックス組成物は、前記エネルギー貯蔵デバイスが動作される温度において導電性である、項目２に記載のレドックスフローエネルギー貯蔵デバイス。
（項目４）
前記第２の電極活物質は、前記エネルギー貯蔵デバイスの動作中に前記イオンを取り込むことまたは放出することが可能である半固体または濃縮イオン貯蔵電気活性物質を含む、項目１に記載のレドックスフローエネルギー貯蔵デバイス。
（項目５）
流動性の半固体または濃縮液体イオン貯蔵レドックス組成物は、前記エネルギー貯蔵デバイスが動作される温度において導電性である、項目４に記載のレドックスフローエネルギー貯蔵デバイス。
（項目６）
前記第１の電極電流コレクタおよび前記イオン透過媒体は、該第１の電極が少なくとも部分的に配置される第１の電気活性帯を画定する、項目１に記載のレドックスフローエネルギー貯蔵デバイス。
（項目７）
前記第２の電極電流コレクタおよび前記イオン透過媒体は、該第２の電極が少なくとも部分的に配置される第２の電気活性帯を画定する、項目１に記載のレドックスフローエネルギー貯蔵デバイス。
（項目８）
前記第２の電極電流コレクタは、前記第１の電極電流コレクタ内に実質的に同心円状に配置される、項目１に記載のレドックスフローエネルギー貯蔵デバイス。
（項目９）
前記第１および第２の電極電流コレクタのうちの少なくとも１つは、電極のすぐ近くにネジ山付き表面を備える、項目１に記載のレドックスフローエネルギー貯蔵デバイス。
（項目１０）
前記第１および第２の電極電流コレクタのうちの少なくとも１つは、該電極のすぐ近くの表面から該電極に向かって延在する突起を備える、項目１に記載のレドックスフローエネルギー貯蔵デバイス。
（項目１１）
前記突起は、支柱、フィン、およびバッフルのうちの少なくとも１つを備える、項目１０に記載のレドックスフローエネルギー貯蔵デバイス。
（項目１２）
前記第１の電極電流コレクタは、正極電流コレクタを備え、
前記第１の電極活物質は、正極活物質を備え、
前記第２の電極電流コレクタは、負極電流コレクタを備え、
前記第２の電極活物質は、負極活物質を備える、
項目１に記載のレドックスフローエネルギー貯蔵デバイス。
（項目１３）
前記第１の電極電流コレクタは、負極電流コレクタを備え、
前記第１の電極活物質は、負極活物質を備え、
前記第２の電極電流コレクタは、正極電流コレクタを備え、
前記第２の電極活物質は、正極活物質を備える、
項目１に記載のレドックスフローエネルギー貯蔵デバイス。
（項目１４）
項目１に記載のレドックスフローエネルギー貯蔵デバイスを提供することと、
前記第１および／または第２の電極電流コレクタをそれらの長手軸の周りで回転させることであって、それにより、前記第１および第２の電極のうちの少なくとも１つが、該レドックスフローエネルギー貯蔵デバイスの長手軸に沿って輸送される、ことと
を含む、レドックスフローエネルギー貯蔵デバイスを動作する方法。
（項目１５）
レドックスフローエネルギー貯蔵デバイス用の流動性イオン貯蔵レドックス組成物であって、該レドックスフローエネルギー貯蔵デバイスは、
正極活物質、負極活物質、および該正極活物質と負極活物質とを分離するイオン透過媒体を備え、該正および負極活物質のうちの少なくとも１つは、該デバイスの動作中に該イオンを取り込むことまたは放出することが可能である該流動性イオン貯蔵レドックス組成物を含み、
該流動性イオン貯蔵レドックス組成物は、ケトン、ジケトン、トリエーテル、１つの窒素および１つの酸素の原子を含有する化合物、１つの窒素および２つの酸素の原子を含有する化合物、２つの窒素原子および１つの酸素原子を含有する化合物、リン含有化合物、および／またはこれらのフッ素化、ニトリル、および／またはペルフルオロ化誘導体から選択される少なくとも１つの化合物を含む、組成物。
（項目１６）
前記組成物は、ケトンを含む、項目１５に記載の流動性イオン貯蔵レドックス組成物。
（項目１７）
前記組成物は、２−ブタノン、２−ペンタノン、３−ペンタノン、３−メチル−２−ブタノン、シクロペンタノン、２−メチルシクロペンタノン、３−メチルシクロペンタノン、シクロヘキサノン、２−メチルシクロヘキサノン、３−メチルシクロヘキサノン、および４−メチルシクロヘキサノンのうちの少なくとも１つを含む、項目１６に記載の流動性イオン貯蔵レドックス組成物。
（項目１８）
前記組成物は、ジケトンを含む、項目１５に記載の流動性イオン貯蔵レドックス組成物。
（項目１９）
前記組成物は、２，３−ブタンジオン、２，３−ペンタンジオン、２，３−ヘキサンジオン、１，２−シクロペンタンジオン、１，３−シクロペンタンジオン、１Ｈ−インデン−１，３（２Ｈ）−ジオン、１，２−シクロヘキサンジオン、１，３−シクロヘキサンジオン、および１，４−シクロヘキサンジオンのうちの少なくとも１つを含む、項目１８に記載の流動性イオン貯蔵レドックス組成物。
（項目２０）
前記組成物は、トリエーテルを含む、項目１５に記載の流動性イオン貯蔵レドックス組成物。
（項目２１）
前記組成物は、１−メトキシ−２−（２−メトキシエトキシ）エタン、１−エトキシ−２−（２−エトキシエトキシ）エタン、トリメトキシメタン、２−メトキシ−１，３−ジオキソラン、１，３，５−トリオキサン、２−メトキシ−１，３−ジオキサン、および２−メトキシ−１，４−ジオキサンのうちの少なくとも１つを含む、項目２０に記載の流動性イオン貯蔵レドックス組成物。
（項目２２）
前記組成物は、１つの窒素および１つの酸素の原子を含有する化合物を含む、項目１５に記載の流動性イオン貯蔵レドックス組成物。
（項目２３）
前記組成物は、アミドを含む、項目２２に記載の流動性イオン貯蔵レドックス組成物。
（項目２４）
前記組成物は、Ｎ，Ｎ−ジメチルホルモアミド、１−メチル−２−ピロリドン、１−メチル−２−ピペリドン、および１−ビニル−２−ピロリドンのうちの少なくとも１つを含む、項目２３に記載の流動性イオン貯蔵レドックス組成物。
（項目２５）
前記組成物は、１つの窒素および２つの酸素の原子を含有する化合物を含む、項目１５に記載の流動性イオン貯蔵レドックス組成物。
（項目２６）
前記組成物は、３−メチル−１，３−オキサゾリジン−２−オンを含む、項目２５に記載の流動性イオン貯蔵レドックス組成物。
（項目２７）
前記組成物は、２つの窒素原子および１つの酸素原子を含有する化合物を含む、項目１５に記載の流動性イオン貯蔵レドックス組成物。
（項目２８）
前記組成物は、１，３−ジメチル２−イミダゾリジノン、Ｎ，Ｎ，Ｎ’，Ｎ’−テトラメチル尿素、および１，３−ジメチルテトラヒドロ−２（１Ｈ）−ピリミジノンのうちの少なくとも１つを含む、項目１５に記載の流動性イオン貯蔵レドックス組成物。
（項目２９）
前記組成物は、リン含有化合物を含む、項目１５に記載の流動性イオン貯蔵レドックス組成物。
（項目３０）
前記組成物は、リン酸塩および亜リン酸塩のうちの少なくとも１つを含む、項目２９に記載の流動性イオン貯蔵レドックス組成物。
（項目３１）
前記正極活物質は、前記エネルギー貯蔵デバイスの動作中にイオンを取り込むことまたは放出することが可能である半固体または濃縮イオン貯蔵電気活性物質を含む、項目１５に記載のレドックスフローエネルギー貯蔵デバイス。
（項目３２）
前記流動性の半固体または濃縮液体イオン貯蔵レドックス組成は、前記エネルギー貯蔵デバイスが動作される温度において導電性である、項目３１に記載のレドックスフローエネルギー貯蔵デバイス。
（項目３３）
前記正の電気活性物質は、高電圧スピネルを含む、項目１５に記載のレドックスフローエネルギー貯蔵デバイス。
（項目３４）
前記負極活物質は、前記エネルギー貯蔵デバイスの動作中に前記イオンを取り込むことまたは放出することが可能である半固体または濃縮イオン貯蔵電気活性物質を含む、項目１５に記載のレドックスフローエネルギー貯蔵デバイス。
（項目３５）
前記正極電流コレクタおよび前記イオン透過媒体は、前記正極活物質が少なくとも部分的に配置される正の電気活性帯を画定する、項目１５に記載のレドックスフローエネルギー貯蔵デバイス。
（項目３６）
前記負極電流コレクタおよび前記イオン透過媒体は、前記負極活物質が少なくとも部分的に配置される負の電気活性帯を画定する、項目１５に記載のレドックスフローエネルギー貯蔵デバイス。
（項目３７）
レドックスフローエネルギー貯蔵デバイス用の音響エネルギー源であって、該レドックスフローエネルギー貯蔵デバイスは、
正極活物質、負極活物質、および該正極活物質と負極活物質とを分離するイオン透過媒体を備え、該正および負極活物質のうちの少なくとも１つは、該デバイスの動作中に該イオンを取り込むことまたは放出することが可能である流動性イオン貯蔵レドックス組成物を含み、
該流動性イオン貯蔵レドックス組成物は、固体を含み、該音響エネルギー源は、該レドックスフローエネルギー貯蔵デバイス内における該固体の蓄積を阻止すること、および／または該レドックスフローエネルギー貯蔵デバイス内の該流動性イオン貯蔵レドックス組成物の粘度を低減することを行うように構築および配設される、音響エネルギー源。
（項目３８）
前記音響エネルギー源は、圧電または電歪アクチュエータを含む、項目３７に記載の音響エネルギー源。
（項目３９）
前記音響エネルギー源は、前記レドックスフローエネルギー貯蔵デバイスの構成要素とモノリシックに統合される、項目３７に記載の音響エネルギー源。
（項目４０）
前記音響エネルギー源は、前記レドックスフローエネルギー貯蔵デバイスに対して分離したデバイスを備える、項目３７に記載の音響エネルギー源。
（項目４１）
流動性の半固体または濃縮液体イオン貯蔵レドックス組成は、前記エネルギー貯蔵デバイスが動作される温度において導電性である、項目３７に記載の音響エネルギー源。
（項目４２）
前記レドックスフローエネルギー貯蔵デバイスは、潤滑剤を含む粒子を含む、項目３７に記載の音響エネルギー源。
（項目４３）
レドックスフローエネルギー貯蔵デバイス用のインラインセンサであって、該レドックスフローエネルギー貯蔵デバイスは、
正極活物質と、
負極活物質と、
該正極活物質と負極活物質とを分離するイオン透過媒体であって、該正および負極活物質のうちの少なくとも１つは、該デバイスの動作中に該イオンを取り込むことまたは放出することが可能である流動性イオン貯蔵レドックス組成物を含む、イオン透過媒体と、
該流動性イオン貯蔵レドックス組成物の特性を決定するように構築および配設されるインラインセンサと
を備える、インラインセンサ。
（項目４４）
前記インラインセンサは、前記レドックスフローエネルギー貯蔵デバイスから独立の導管まで前記流動性イオン貯蔵レドックス組成物の一部分を進路変更させることにより、該組成物の特性を決定する、項目４３に記載のインラインセンサ。
（項目４５）
前記特性は、前記流動性イオン貯蔵レドックス組成物の充電状態を含む、項目４３に記載のインラインセンサ。
（項目４６）
前記特性は、前記流動性イオン貯蔵レドックス組成物の電子伝導率を含む、項目４３に記載のインラインセンサ。
（項目４７）
前記特性は、前記流動性イオン貯蔵レドックス組成物のイオン伝導率を含む、項目４３に記載のインラインセンサ。
（項目４８）
前記特性は、前記流動性イオン貯蔵レドックス組成物の凝集状態を含む、項目４３に記載のインラインセンサ。
（項目４９）
前記特性は、前記流動性イオン貯蔵レドックス組成物の粘度を含む、項目４３に記載のインラインセンサ。
（項目５０）
前記特性は、時間の関数として測定される、項目４３に記載のインラインセンサ。
（項目５１）
前記特性は、温度の関数として測定される、項目４３に記載のインラインセンサ。
（項目５２）
前記特性は、流速の関数として測定される、項目４３に記載のインラインセンサ。
（項目５３）
前記特性は、印加された電位または電界の振幅の関数として測定される、項目４３に記載のインラインセンサ。
（項目５４）
前記特性は、印加された電位または電界の周波数の関数として測定される、項目４３に記載のインラインセンサ。
（項目５５）
レドックスフローエネルギー貯蔵デバイス用の流動性イオン貯蔵レドックス組成物であって、該レドックスフローエネルギー貯蔵デバイスは、
正極活物質、負極活物質、および該正極活物質と負極活物質とを分離するイオン透過媒体を備え、該正および負極活物質のうちの少なくとも１つは、セルの動作中に該イオンを取り込むことまたは放出することが可能である流動性イオン貯蔵レドックス組成物を含み、
該流動性イオン貯蔵レドックス組成物は、水性液体担体を含み、該イオンは、Ｌｉ＋またはＮａ＋を含む、組成物。
（項目５６）
前記イオンは、Ｎａ＋を含む、項目５５に記載の流動性イオン貯蔵レドックス組成物。
（項目５７）
レドックスフローエネルギー貯蔵デバイスであって、
正極活物質、負極活物質、および該正極活物質と負極活物質とを分離するイオン透過媒体であって、該正および負極活物質のうちの少なくとも１つは、該デバイスの動作中に該イオンを取り込むことまたは放出することが可能である流動性イオン貯蔵レドックス組成物を含む、正極活物質、負極活物質、およびイオン透過媒体と、
該流動性イオン貯蔵レドックス組成物が配置される容積と流体的に連絡しているか、または容積内に位置する混合流体源であって、該混合流体は、該流動性イオン貯蔵レドックス組成物と非混和性である、混合流体源と
を備える、デバイス。
（項目５８）
前記混合流体は、液体を含む、項目５７に記載のレドックスフローエネルギー貯蔵デバイス。
（項目５９）
前記混合流体は、気体を含む、項目５７に記載のレドックスフローエネルギー貯蔵デバイス。
（項目６０）
前記混合流体は、前記流動性イオン貯蔵レドックス組成物と実質的に化学反応しない、項目５７に記載のレドックスフローエネルギー貯蔵デバイス。
（項目６１）
前記混合流体源は、前記レドックスフローエネルギー貯蔵デバイスから独立しており、前記流動性イオン貯蔵レドックス組成物の中へ輸送される、項目５７に記載のレドックスフローエネルギー貯蔵デバイス。
（項目６２）
前記混合流体源は、前記流動性イオン貯蔵レドックス組成物内の反応物を含む、項目５７に記載のレドックスフローエネルギー貯蔵デバイス。
（項目６３）
レドックスフローエネルギー貯蔵デバイスであって、
第１の極性の第１の電極活物質と、
第２の反対極性の第２の電極活物質と、
該第１の電極活物質と第２の電極活物質とを分離するイオン透過媒体であって、該第１および第２の電極活物質のうちの少なくとも１つは、セルの動作中に該イオンを取り込むことまたは放出することが可能である流動性イオン貯蔵レドックス組成物を含む、イオン透過媒体と、
該流動性イオン貯蔵レドックス組成物と接触している可動表面であって、該可動表面は、該レドックスフローエネルギー貯蔵デバイスを介して該流動性イオン貯蔵レドックス組成物の流動を少なくとも部分的に方向付けるように構築および配設される、可動表面と
を備える、レドックスフローエネルギー貯蔵デバイス。
（項目６４）
前記可動表面は、電極電流コレクタの一部である、項目６３に記載のレドックスフローエネルギー貯蔵デバイス。
（項目６５）
前記可動表面は、複数の突起を備える、項目６３に記載のレドックスフローエネルギー貯蔵デバイス。
（項目６６）
前記可動表面は、ネジ山付き表面を備える、項目６３に記載のレドックスフローエネルギー貯蔵デバイス。
（項目６７）
前記可動表面は、少なくとも１つの回転軸の周りに配設されるベルトの一部である、項目６３に記載のレドックスフローエネルギー貯蔵デバイス。
（項目６８）
前記可動表面は、前記レドックスフローエネルギー貯蔵デバイスの電気活性帯内に少なくとも部分的に配置される、項目６３に記載のレドックスフローエネルギー貯蔵デバイス。
（項目６９）
レドックスフローエネルギー貯蔵デバイス用の流動性イオン貯蔵レドックス組成物であって、該レドックスフローエネルギー貯蔵デバイスは、
正極活物質、負極活物質、および該正極活物質と負極活物質とを分離するイオン透過媒体とを備え、
該正および負極活物質のうちの少なくとも１つは、該デバイスの動作中に該イオンを取り込むことまたは放出することが可能である流動性の半固体または濃縮液体イオン貯蔵レドックス組成物を含み、
該流動性イオン貯蔵レドックス組成物は、エーテル、ケトン、ジエーテル、ジケトン、エステル、トリエーテル、炭酸塩、アミド、イオウ含有化合物、リン含有化合物、イオン液体、およびこれらのフッ素化、ニトリル、および／またはペルフルオロ化誘導体のうちの少なくとも１つを含む、組成物。